(57)【要約】【課題】制御基板を保護して安定した運転を行えるファンコンベクタを提供する。【解決手段】後部パネル２の右側面に沿って制御基板１３を支承する基板ホルダ１４を螺着し、複数のＵ字管７ａを側面に接合した放熱器７と、前記制御基板１３との間に熱動弁１２を設けた構成において、前記基板ホルダ１４の上端から前記放熱器７側に折曲され前記熱動弁１２の下方を覆う遮水部１４ａを備える一方、前記熱動弁１２の側面に螺着される補強部１４ｂを備えた延出片を前記基板ホルダ１４と一体に形成することにより、前記熱動弁１２から万一水漏れが発生した場合、前記遮水部１４ａにより、水が前記制御基板に滴下したり、あるいは飛散する現象を防止し、補強部１４ｂにより振動等の影響を受けないようにする。【選択図】  図３
2004353901.tif 000002
【特許請求の範囲】
【請求項１】
本体の背面上部に吸込口を、前面下部に吹出口を夫々設け、前記吸込口と前記吹出口とを結ぶ空気通路に放熱器と送風ファンとを設ける一方、前記本体内の一側に、基板ホルダにより支承される制御基板を備えた電装部を設けるとともに、同電装部の上方であって、これと前記放熱器との間に同放熱器から導出された配管と、外部に連なる配管とにより支持された開閉弁を設けてなるファンコンベクタにおいて、
前記基板ホルダに、前記開閉弁の下方を覆う遮水部と、同開閉弁の側面に固定され、これを補強する補強部とを備えた延出片を設けてなることを特徴とするファンコンベクタ。
【発明の詳細な説明】
【０００１】
【発明の属する技術分野】
本発明は、ファンコンベクタに関わり、より詳細には、電装部に設けられた制御基板に、熱動弁の水漏れによる水が滴下しないようにするとともに、同熱動弁の支持を補強する構成に関する。
【０００２】
【従来の技術】
従来のファンコンベクタも本願によるものと基本的に同一の構成であるので図１を用いて説明する。ファンコンベクタは図１で示すように、ベース１と後部パネル２及び前面パネル３とから本体を構成し、同本体の背面上部に吸込口４を、前面下部に吹出口５を設けている。前記吸込口４と前記吹出口５とを結ぶ空気通路には、温水を循環させることにより周囲に熱を放出する放熱器７と、同放熱器７により加温された空気を前記吹出口５から室内に送出する送風ファン１０が設けられている。
【０００３】
前記本体内の一側には、図４で示すように、本体の右側面と平行に装着されたホルダ３０と、同ホルダ３０から突設された複数のストッパ１５により支承された制御基板１３が設けられ、同制御基板１３と前記放熱器７との間には、放熱器側接続配管１２ａと外部側接続配管１２ｂとを接続し、これらに支持される熱動弁１２が設けられ、同熱動弁１２を介して前記放熱器７に温水が供給されるようになっている。
【０００４】
しかしながら、前記熱動弁１２から万一水漏れが発生した場合、前記制御基板１３に水が滴下、飛散し不具合が生じる虞がある一方、配管により支持された前記熱動弁１２は振動などにより揺れ動き、接続された配管等に不具合を生じさせる虞があった。
【０００５】
【発明が解決しようとする課題】
本発明は上記問題点に鑑み、本体内の一側に設けられた制御基板に水が滴下、飛散することを防止する一方、振動等の影響を低減して安全性を向上させたファンコンベクタを提供することを目的とする。
【０００６】
【課題を解決するための手段】
本発明は上記課題を解決するため、本体の背面上部に吸込口を、前面下部に吹出口を夫々設け、前記吸込口と前記吹出口とを結ぶ空気通路に放熱器と送風ファンとを設ける一方、前記本体内の一側に、基板ホルダにより支承される制御基板を備えた電装部を設けるとともに、同電装部の上方であって、これと前記放熱器との間に同放熱器から導出された配管と、外部に連なる配管とにより支持された開閉弁を設けてなるファンコンベクタにおいて、
前記基板ホルダに、前記開閉弁の下方を覆う遮水部と、同開閉弁の側面に固定され、これを補強する補強部とを備えた延出片を設けてなる構成となっている。
【０００７】
【発明の実施の形態】
以下、本発明の実施の形態を、添付図面に基づいた実施例として詳細に説明する。
図１は本発明によるファンコンベクタを示す断面図であり、図２はその分解斜視図である。又、図３は電装部を示す斜視図及び正面図である。
本発明によるファンコンベクタは、図１及び図２で示すように、床面に載置されるベース１と、前面が開放された後部パネル２と、後面が開放され前記後部パネル２に被着される前面パネル３とで本体を構成している。前記後部パネル２の上部には複数の桟により吸込口４が形成され、前記前面パネル３の下部には風向偏向板５ａを備えた吹出口５が形成されている。本体内は遮熱板６により前後に区画され、前記吸込口４と前記吹出口５とを結ぶ後部区画には、外部配管と接続され、循環する温水により周囲に熱を放出する放熱器７と、ファンモータ１０ａに連結され前記放熱器７により加温された空気を前記吹出口５から室内に送出する送風ファン１０が設けられている。又、前記吸込口４の裏面には格子枠９に張設されたフィルター８が設けられ、前記後部パネル２内の一側には電装部１１が設けられている。
【０００８】
前記電装部１１には、図３（Ａ）の斜視図及び図３（Ｂ）の正面図で示すように、前記後部パネル２の右側面に沿って板金からなる平板状の基板ホルダ１４が螺着され、同基板ホルダ１４から突設された複数のストッパ１５により、前記ファンモータ１０ａ及び電磁開閉弁等を制御する制御基板１３が支承されている。同制御基板１３の上方であって、複数のＵ字管７ａを側面に接合した前記放熱器７と、前記制御基板１３との間には前記放熱器７から導出された配管１２ａを一側に接続するとともに、外部に接続される配管１２ｂを他側に接続した熱動弁１２が設けられている。
【０００９】
前記基板ホルダ１４には、同基板ホルダ１４の上端から前記放熱器７側に折曲され、前記熱動弁１２の下方を覆うフランジ１４ｃを備えた遮水部１４ａを形成する一方、更に上方に向け折曲された補強部１４ｂをネジ１６により前記熱動弁１２の側面に螺着させた延出片が一体となって形成されている。
【００１０】
温水が循環する前記熱動弁１２から万一水漏れが発生した場合、同熱動弁１２の下方を覆う前記遮水部１４ａにより、水が前記制御基板１３に滴下したり、あるいは飛散する現象を防止できるようになっている。これにより前記制御基板１３に不具合が発生し、運転に支障を生じるというような状態を回避する一方、前記補強部１４ｂにより振動等で前記熱動弁１２及びこれを支持する前記配管１２ａ及び１２ｂに不具合を生じさせない、安定した運転を継続できるファンコンベクタとすることができる。
【００１１】
【発明の効果】
以上説明したように、本発明によると、後部パネルの右側面に沿って制御基板を支承する基板ホルダを螺着し、複数のＵ字管を側面に接合した放熱器と、前記制御基板との間に熱動弁を設けた構成において、前記同基板ホルダの上端から前記放熱器側に折曲され前記熱動弁の下方を覆う遮水部を備える一方、更に上方に向け折曲されて前記熱動弁の側面に螺着される補強部を備えた延出片を前記基板ホルダと一体に形成することにより、前記熱動弁から万一水漏れが発生した場合、前記遮水部により、水が前記制御基板に滴下したり、あるいは飛散する現象を防止できる一方、前記補強部により振動等の影響を受けないファンコンベクタとすることができる。
【図面の簡単な説明】
【図１】本発明によるファンコンベクタを示す断面図である。
【図２】本発明によるファンコンベクタを示す分解斜視図である。
【図３】（Ａ）は電装部を示す斜視図である。（Ｂ）は電装部を示す正面図である。
【図４】従来例による電装部を示す正面図である。
【符号の説明】
１  ベース
２  後部パネル
３  前面パネル
４  吸込口
５  吹出口
５ａ  風向偏向板
６  遮熱板
７  放熱器
７ａ  Ｕ字管
８  フィルター
９  格子枠
１０  送風ファン
１０ａ  ファンモータ
１１  電装部
１２  熱動弁
１２ａ、１２ｂ  配管
１３  制御基板
１４  基板ホルダ
１４ａ  遮水部
１４ｂ  補強部
１４ｃ  フランジ
１５  ストッパ
【図１】
2004353901.tif 000003
【図２】
2004353901.tif 000004
【図３】
2004353901.tif 000005
【図４】
2004353901.tif 000006